(57)【要約】【課題】高い生産能力を可能にする、印刷物から積重ね体を形成する方法ならびにその方法を実施する装置を提供する。【解決手段】第１の搬送装置（８）によって実質的に水平に延在している積重ね支台（１３）に対して略垂直に印刷物を鱗状列流（６）で連続的に供給し少なくとも略垂直に上下に積重ねて積重ね体（７）を形成する。その積重ね体（７）を積重ね支台（１３）上で第２の搬送装置（１４）を使用して所定の送り速度をもって送り方向（１２）に搬送しその際に連動動作する支承装置（２９）によって前方の積重ね体末端（２８）上で支承する。積重ね体支台（１３）に対してその下方の端部（３）をもって当接する少なくとも１冊の印刷物（２）をいずれもその下方端部（３）の領域内で第３の搬送装置（１６）によって付勢する。前記の端部（３）を少なくとも積重ね体（７）の送り速度に相当する速度をもって積重ね体（７）の送り方向（１２）に移動させる。【選択図】図３
2011098835.tif 000002
【特許請求の範囲】
【請求項１】
第１の搬送装置（８）によって実質的に水平に延在している積重ね支台（１３）に対して略垂直に印刷物を鱗状列流（６）で連続的に供給し少なくとも略垂直に上下に積重ねて積重ね体（７）を形成し、それを積重ね支台（１３）上で第２の搬送装置（１４）を使用して所定の送り速度をもって送り方向（１２）に搬送しその際に連動動作する支承装置（２９）によって前方の積重ね体末端（２８）上で支承する、印刷物（２）から積重ね体を形成する方法であり、積重ね体支台（１３）に対してその下方の端部（３）をもって当接する少なくとも１冊の印刷物（２）をいずれもその下方端部（３）の領域内で第３の搬送装置（１６）によって付勢して少なくとも積重ね体（７）の送り速度に相当する速度をもって積重ね体（７）の送り方向（１２）に移動させることを特徴とする方法。
【請求項２】
印刷物（２）の付勢は型嵌めおよび／または圧力嵌めによって実施することを特徴とする請求項１記載の方法。
【請求項３】
積重ね体支台（１３）に当接する全ての印刷物（２）を第３のその下方端部（３）の領域で搬送装置（１６）によって付勢することを特徴とする請求項１記載の方法。
【請求項４】
印刷物（２）の下方端部（３）の領域を形成中の積重ね体（７）とは逆側の印刷物（２）の背面（５）上で付勢することを特徴とする請求項１ないし３のいずれかに記載の方法。
【請求項５】
第３の搬送装置（１６）が駆動要素（２０）によって印刷物（２）の下方端部（３）の領域を付勢して形成中の積重ね体（７）に対して押圧することを特徴とする請求項１ないし４のいずれかに記載の方法。
【請求項６】
第３の搬送装置（１６）が摩擦力によって印刷物（２）の下方端部（３）の領域を付勢して形成中の積重ね体（７）に対して押圧することを特徴とする請求項１ないし４のいずれかに記載の方法。
【請求項７】
印刷物（２）を鱗状列流（６）で連続的かつ実質的に垂直に積重ね体支台（１３）に対して供給することができる第１の推進装置（８）を備えた水平に延在する積重ね体支台（１３）を有し、印刷物（２）が前記積重ね体支台（１３）上で垂直に積み重ねられて積重ね体（７）を形成する前にその下方端部（３）をもって前記積重ね体支台（１３）に当接する当接領域（３２）を前記積重ね体支台（１３）が有し、また前記積重ね体（７）を送り方向（１２）においてその積重ね体（７）を前方の積重ね体端部（２８）上で支承する支承装置（２９）に対して押圧することができる第２の搬送装置（１４）を有してなる、印刷物（２）から積重ね体を形成する装置であり、少なくとも前記当接領域（３２）内に第３の推進装置（１６）を配置し、積重ね体支台（１３）に対して当接する印刷物（２）をその下方端部（３）の領域内で付勢可能かつ積重ね体（７）の送り方向に移動可能にすることを特徴とする装置。
【請求項８】
第３の推進装置（１６）が少なくとも１本のエンドレス周回式の推進要素（１７）を有することを特徴とする請求項７記載の装置。
【請求項９】
少なくとも１本のエンドレス周回式の推進要素（１７）が少なくとも１個の駆動要素（２０）を有することを特徴とする請求項８記載の装置。
【請求項１０】
少なくとも１個の駆動要素（２０）は印刷物（２）の背面（５）を把持し得るように形成されることを特徴とする請求項９記載の装置。
【請求項１１】
少なくとも１個の駆動要素（２０）は歯またはフィンガからなることを特徴とする請求項９または１０記載の装置。
【請求項１２】
少なくとも１本のエンドレス周回式の推進要素（１７）を印刷物（２）の下方端部（３）を把持し得るようにすることを特徴とする請求項８記載の装置。
【請求項１３】
少なくとも１本のエンドレス周回式の推進要素（１７）を被駆動式の伝動ベルトあるいは被駆動式の平ベルトとして形成することを特徴とする請求項８ないし１２のいずれかに記載の装置。
【請求項１４】
少なくとも１本のエンドレス周回式の推進要素（１７）が当接領域（３２）の下流側に配置された転向要素（１８）を備え、その周りに推進要素（１７）を設置することを特徴とする請求項８ないし１３のいずれかに記載の装置。
【請求項１５】
第３の推進装置（１６）が互いに離間して配置された少なくとも２本のエンドレス周回式の推進要素（１７）を有することを特徴とする請求項７ないし１４のいずれかに記載の装置。
【発明の詳細な説明】
【技術分野】
【０００１】
この発明は、第１の搬送装置によって実質的に水平に延在している積重ね支台に対して略垂直に印刷物を鱗状列流で連続的に供給し少なくとも略垂直に上下に積重ねて積重ね体を形成し、それを積重ね支台上で第２の搬送装置を使用して所定の送り速度をもってフィーダ装置内に搬送しその際に連動動作する支持装置によって前方の積重ね体末端上で支持する、印刷物から積重ね体を形成する方法に関する。この発明はさらに前記の方法を実施する装置に関する。
【背景技術】
【０００２】
印刷物から積重ね体を形成する方法および装置は従来の技術において欧州特許第０６２３５４２号Ｂ１明細書、欧州特許出願公開第０８７２４４３号Ａ明細書、ならびに欧州特許出願公開第１４０５８０９号Ａ明細書によって知られている。この種の積重ね体はスタックとも呼ばれ、末端板材とストラッピングによって結合される。これらは印刷機から印刷紙葉を取り出して後加工の準備を行うために久しい以前から採用されている。
【０００３】
特に例えば１００頁あるいはそれ以上からなる極めて厚い印刷物の場合、積重ね体形成の間に印刷物を支承して搬送する背部に比較的強い負荷がかかる。特に、折り畳まれた印刷物はその背部を形成する折り目部を有していて積重ね体形成を著しく難しくする。加えて、その種の印刷物は積重ね体形成に際して比較的強い摩擦によって損傷する危険性がある。
【０００４】
欧州特許出願公開第１９５０１５９号Ａ１明細書により、前記のような印刷物に極めて適したシステムが提案されている。これは特に折り目で綴じ付けられた印刷物に係る。その種の印刷物は例えば新聞、雑誌、あるいはカタログである。積重ね体形成を簡便化するために、積重ね体をいくつかの積重ね部に分配しそれらを互いに偏位させることが提案されている。積重ね体形状の構成を可能するために、積重ね体支台を把持するものであって例えば段付きの推進ベルトとして形成された偏位手段が必要とされる。しかしながら、互いに偏位した積重ね部を有する積重ね体は著しくかさばりまた製造が通常の積重ね体よりも大幅に高コストになる。
【０００５】
欧州特許出願公開第１３５０７５０号Ａ明細書の方法によっても印刷物の積重ね体形成が簡便化される。そのことを達成するために、印刷物と積重ね体支台の当接領域の上方に配置されたガイド板がいずれも積重ね方向に突立した部分を備え、積重ね体支台への装入に際して印刷物が積重ね方向に曲げられる。それによって進入に際しての印刷物の自己安定性が増すばかりでなく、後から挿入される印刷物のためのスペースも形成される。しかしながら、それによって印刷物間の摩擦が増加し、その結果印刷物の損傷および／または印刷色の剥脱の危険性が増大する点である。加えて、積重ね方向において印刷物の当接領域から離間して印刷物の対向する２つの縁部領域に対して積重ね方向に加速させるよう作用し積重ね体の下流側部分を圧縮するための圧縮手段が設けられる。さらに一実施形態によれば、上流側の圧縮されない積重ね体部分の上方の両側に印刷物を推進するように作用するブラシローラが配置される。
【先行技術文献】
【特許文献】
【０００６】
【特許文献１】欧州特許第０６２３５４２号Ｂ１明細書
【特許文献２】欧州特許出願公開第０８７２４４３号Ａ明細書
【特許文献３】欧州特許出願公開第１４０５８０９号Ａ明細書
【特許文献４】欧州特許出願公開第１９５０１５９号Ａ１明細書
【特許文献５】欧州特許出願公開第１３５０７５０号Ａ明細書
【発明の概要】
【発明が解決しようとする課題】
【０００７】
従って本発明の目的は、極めて簡便、確実、かつ損傷の少ない積重ね体形成を特徴とし、それにも関らず高い生産能力を可能にする冒頭に述べた種類の方法ならびにその方法を実施する装置を提供することである。
【課題を解決するための手段】
【０００８】
前記の課題は請求項１に従って、積重ね体支台に対してその下方の端部をもって当接する少なくとも１冊の印刷物を下方端部の領域内で第３の搬送装置によって付勢して少なくとも積重ね体の送り速度に相当する速度をもって積重ね体の送り方向に移動させることによって解決される。従って前記第３の搬送装置によって印刷物の下方端部の領域が付勢されて積重ね体に向かって推動される。それによって下方端部の領域内、すなわち積重ね体を形成する印刷物の下面上にいずれも後続する印刷物のためのスペースが形成される。この方式によって既に積み重ねられた印刷物と後続の印刷物との摩擦を特にその背部領域において著しく低減することができる。その結果積重ね体形成を簡便化して印刷物に対する障害および損傷を広範に防止することができる。
【０００９】
本発明に係る方法による印刷物からの積重ね体の形成によれば、特に折り畳まれた印刷紙葉の外側頁紙が後続の印刷紙葉によって押し動かされるいわゆるループ形成を効果的に防止することができる。そうでなければ、その種の押し動かされた印刷物あるいは印刷紙葉はそれ以上後加工することができず廃棄しなければならなくなる。実験の結果例えば１００頁あるいはそれ以上の比較的厚い印刷物においてもループ形成を効果的に防止し得ることが証明された。
【００１０】
本発明の追加構成によれば、印刷物の下方端部領域における付勢は型嵌めおよび／または圧力嵌めによって実施する。それによって印刷物の下方端部の領域を積重ね体の方向へ推動するために充分な動力伝達を達成することができる。
【００１１】
本発明の別の追加構成形態によれば、積重ね体支台に当接する全ての印刷物を第３の搬送装置によってその下方端部の領域で付勢する。従って既に形成された積重ね体は通常通り積重ね体支台上で搬送することができる。その搬送は例えば既知の方式によってベルトを使用して実施することができる。
【００１２】
本発明の別の追加構成形態によれば、第３の搬送装置は印刷物の下方端部の領域を形成中の積重ね体とは逆側の印刷物の背面上で付勢する。従ってこの下方端部の領域を所与の速度をもって積重ね体に向かって、すなわち送り方向に移動させることができる。このことは、本発明の別の追加構成形態に従って第３の搬送装置が駆動要素によって印刷物の下方端部の領域を付勢して形成中の積重ね体に対して押圧することによって極めて簡便かつ確実に達成される。その種の駆動要素は例えば歯、フィンガ、または複数のフィンガによって形成することができる。そのため複数の駆動要素を備えたエンドレス式の推進要素が特に適している。
【００１３】
前記のエンドレス式の推進要素は伝動ベルトによって極めて簡便、確実かつ低コストに実現することができる。その種の被駆動式かつ好適には調節可能な伝動ベルトは外面に複数の歯を有していて、それらのうちの１本がいずれも印刷物の下方端部の領域を把持して積重ね体に対して押圧する。伝動ベルトは例えば多様な印刷物の厚みに対応して交換することができる。それに代えて平ベルトによってエンドレス式の推進要素を実現することもできる。
【００１４】
好適には少なくとも２本のエンドレス式の要素を互いに離間して配置する。１本の極めて幅広のエンドレス式推進要素あるいは２本よりも多い数のエンドレス式推進要素を有する実施形態も可能である。それらは例えばモータによって駆動され、また下方端部の領域が適宜な速度で動作するように制御される。好適な駆動機構および制御機構は当業者において既知である。
【００１５】
本発明の方法を実施するための極めて好適な装置は装置請求項によって定義される。本発明のその他の好適な特徴は従属請求項、後述の説明ならびに添付図面によって明らかにされる。
【００１６】
次に本発明の実施例について添付図面を参照しながら以下詳細に説明する。
【図面の簡単な説明】
【００１７】
【図１】本発明に係る装置の一部を示した立体図である。
【図２】積重ね体および鱗状列流を除いた図１と同様な立体図である。
【図３】本発明に係る装置の一部を示した側面図である。
【図４】印刷物の付勢を示した本発明に係る装置の部分構成図である。
【図５】本発明の別の実施形態に係る装置を図４と同様に示した部分構成図である。
【発明を実施するための形態】
【００１８】
図１に示された本発明に係る装置１は複数のガイドプーリ１０によって誘導された推進ベルト９を備えた第１の搬送装置８を有し、それによって鱗状列流６内の印刷物２を実質的に垂直な搬送方向１１において積重ね体支台１３に供給する。積重ね体支台１３上において印刷物２が積重ね体７に積み重ねられ、第２の搬送装置１４によって実質的に水平な送り方向１２に推動される。積重ね体７は前方の積重ね体末端２８上で既知の支承装置２９によって支承される。
【００１９】
印刷物２は例えば新聞、雑誌、カタログ、１回あるいは複数回折り畳んだ印刷紙葉、または綴じ付けられた印刷紙葉とすることができる。図３および図４に示されているように、それらはいずれも搬送方向１１において前方の下方端部３と、送り方向１２を指向する前端面４およびそれと逆向きの背面５を有している。印刷物２が折り目を有している場合、それが前方の下方端部３を形成する。それ以外の各側面においてその折り畳まれた印刷物２が開口するようにすることができる。折り目のために印刷物２はその下方端部３の領域が端部３の上方と比べて厚くなるように形成されている。このことは折り目が圧接されていても同様である。印刷物２は比較的大きな頁数、例えば１００頁あるいはそれ以上のものとすることができる。
【００２０】
積重ね体７を形成するために印刷物２をまず垂直、その後水平に搬送する。従って搬送方向１１から送り方向１２へ約９０°の方向転換が実施される。積重ね体７内には所定の積重ね圧力が保持される。それによって積重ね体７を安定化させ後の処理ステップにおいて既知の方法でストラッピングすることが可能になる。それに関しては前述した従来の技術を参照することができる。
【００２１】
積重ね体７の送り動作のために装置１の装置台枠２２内に２本の送りベルト１５が相互に離間してかつ実質的に互いに平行に水平配置されており、それらが単に駆動ギア３０の形式で図示されている駆動機構と共に第２の搬送装置１４を構成している。形成された積重ね体７がその搬送装置１４上に載置され送り方向１２において所与の速度をもって支承装置２９に向かって推進される。前記の送り速度は前記第２の搬送装置１４によって制御することができる。勿論、２本より多くの送りベルト１５を使用することもできるが、１本の送りベルト１５のみとすることも可能である。
【００２２】
装置台枠２２にはさらに第３の搬送装置１６が設けられ、それがここで例えば伝動ベルトとして形成され互いに離間して配置された２本のエンドレス周回式の推進要素１７を有している。それらは図２に示されているように両方の送りベルト１５の間に配置され、いずれも上方ベルト部２４と下方ベルト部３１を備えている（図３）。印刷物２はいずれもその下方端部３が積重ね体支台１３に当接する際にその印刷物２の当接領域３２内に配置された第３の搬送装置１６のエンドレス周回式の推進要素１７によって付勢される。推進要素１７は図３ないし図５に示されるようにいずれも軸２５周りで回転可能なガイドプーリとして形成され積重ね体支台１３上の印刷物２の当接領域３２の下流側に配置された転向要素１８周りに設置される。推進要素１７は図示されていないモータによって駆動され引張装置２３によって引張されている。駆動機構は図示されていない制御装置と結合され、それによって推進要素１７の速度を変更することができる。加えて、前記転向要素１８は水平および垂直に摺動可能とされる。勿論、搬送装置１６を極めて幅広に形成された単一の推進要素１７か、あるいは互いに離間して配置された２本より多くの推進要素１７によって構成することもできる。図３ないし図５に示されているように、第３の搬送装置１６は積重ね体支台１３上の印刷物２の当接領域３２の上流から下流の間の領域に配置され、前記当接領域３２内においてはさらに第２の搬送装置１４の送りベルト１５が推進作用をもたらす。従って第３の搬送装置の機能のために少なくとも積重ね体支台１３上の印刷物２の当接領域内への配置が必要である。
【００２３】
図４に示されるように推進要素１７はいずれも複数の歯あるいはフィンガとして形成された駆動要素２０を備えており、それらの間にいずれも間隙２１が存在する。図４には上方ベルト部２４の動作方向１９が示されている。駆動要素２０間の間隙２１はいずれも印刷物２の下方端部３を収容することができるように寸法設定する。推進要素１７の速度は、動作方向１９において上方ベルト部２４の駆動要素２０が少なくとも積重ね体７の送り速度に相当し好適にはそれよりも高い速度をもって水平に移動するように調節される。その結果いずれも積重ね体支台１３上に当接する印刷物２がその下方端部の領域内の背面５上で駆動要素２０によって付勢され、その下方端部３をもって積重ね体７に向かって移動させるかあるいは当接させる。それについて以下により詳細に説明する。
【００２４】
図４には、下方端部３をもって第３の搬送装置１６の推進要素１７に当接すると同時に第２の搬送装置１４および積重ね体支台１３に当接する印刷物２が示されている。さらに、印刷物２に対して先行し積重ね体７を形成する複数の印刷物２′と印刷物２に対して後続し搬送方向１１において第３の搬送装置１６およびその推進要素１７に向かって移動する印刷物２″が図示されている。推進要素１７が恒常的に駆動され駆動要素２０の速度が少なくとも第２の搬送装置１４の送り速度に相当するため、印刷物２はその下方端部３の領域において背面５上で駆動要素２０によって付勢され図中で右方向、すなわち先行する印刷物２′として示された積重ね体７に向かって推動される。駆動要素２０は印刷物２の下方端部３の領域をその背面５上で既に付勢しており矢印２６の方向において積重ね体７に向かって折り曲げる。それによって前後する印刷物２，２′の各下方端部３，３′の間に中空部２７が形成される。そのようにして形成された中空部２７によって印刷物２，２′の間の摩擦が防止され、それらを損傷させないとともに確実に積み重ねることができる。積重ね体７の方向への端部３の折り曲げを実施した後、駆動要素２０は下方に移動して中空部２７と積重ね支台１３の水平面から退出する。
【００２５】
上述した操作が各印刷物２，２′，２″に対して実施される。しかしながら、印刷物２，２′，２″の一部、例えば２冊に１冊あるいは３冊に１冊の印刷物のみを第３の搬送装置１６によって付勢することも原則的に可能である。
【００２６】
第３の搬送装置１６は位置調節可能とすることができ、従って例えば印刷物２を把持しない後退位置に移動可能にすることができる。推進要素１７は多様な印刷物２に対応するために交換することができる。極めて厚い印刷物２の場合それに対応して幅広の間隙２１を有する推進要素１７を使用する。比較的薄い印刷物２の場合細かい歯切りが採用される。駆動要素２０は例えば適宜な樹脂から形成し、好適には下方端部３上での推進に際して印刷物２が損傷しないように形成することができる。
【００２７】
一実施例によれば、第３の搬送装置１６が平ベルトとして形成された少なくとも１本の推進要素１７を備える（図５）。平ベルトは粗目の表面３３を備え、印刷物２をその下方端部３の領域において摩擦によって付勢する例えばゴムのような材料から形成されるか、あるいは少なくとも例えばゴム被覆された表面を有する。この印刷物２を専ら摩擦によって搬送する推進要素１７が、印刷物２の積重ね体支台１３への当接領域３２内において第２の搬送装置１４の送りベルト１５に加えて推進作用をもたらす。
【符号の説明】
【００２８】
１  装置
２  印刷物
３  下方端部
４  前端面
５  背面
６  鱗状列流
７  積重ね体
８，１４，１６  搬送装置
９  推進ベルト
１０  ガイドプーリ
１１  搬送方向
１２  送り方向
１３  積重ね体支台
１５  送りベルト
１７  推進要素
１８  転向要素
１９  動作方向
２０  駆動要素
２１  間隙
２２  装置台枠
２３  引張装置
２４  上方ベルト部
２８  積重ね体末端
２９  支承装置
３０  駆動ギア
３１  下方ベルト部
３２  当接領域
３３  表面
【図１】
2011098835.tif 000003
【図２】
2011098835.tif 000004
【図３】
2011098835.tif 000005
【図４】
2011098835.tif 000006
【図５】
2011098835.tif 000007